(57)【要約】【課題】生年月日別或いは星座別に特別誂えするのではなく、不特定多数が購入できるところの通常のカレンダーでありながら、星占いの１２星座の個別の占い情報を知ることができるようにし、また、合わせて四つの血液型の人のバイオリズムについても表示できるところのカレンダーを提供すること。【解決手段】曜日の表示をその上部に横書きに配列し、日を横書きに１週間で折り返して下方向に繰り返し配列した暦表示部を有する月別表示のカレンダーであって、前記暦表示部が、枠線で升目に構成された中に各々の日が表示されるように構成され、且つ、前記各升目の中に、占星術の１２星座を表示する表示手段と、該１２星座の持つ幸運な項目を所定の表示手段でもって表示してある。【選択図】      図２
2006175842.tif 000002
【特許請求の範囲】
【請求項１】
曜日の表示をその上部に横書きに配列し、日を横書きに１週間で折り返して下方向に繰り返し配列した暦表示部を有する月別表示のカレンダーであって、
前記暦表示部が、枠線で升目に構成された中に各々の日が表示されるように構成され、且つ、前記各升目の中に、占星術の１２星座を表示する表示手段と、該１２星座の持つ幸運な項目を所定の表示手段でもって表示してあるカレンダー。
【請求項２】
前記１２星座を表示する手段が、漢字によるもので、牡羊座、牡牛座、双子座、蟹座、乙女座、天秤座、蠍座、射手座、山羊座、水瓶座及魚座であり、且つ、これらの星座の月別区分も欄外表示されている請求項１のカレンダー。
【請求項３】
前記１２星座の持つ幸運な項目が、少なくとも、恋愛運、金運及び仕事運を含む請求項１又は請求項２のカレンダー。
【請求項４】
前記幸運な項目を表示する所定の表示手段が、記号の◎である請求項乃至請求項３のカレンダー。
【請求項５】
前記暦表示部の欄外に、４つの血液型の人の持つ４本のバイオリズム曲線によるバイオリズム表示部６を設けてある請求項１乃至請求項４のカレンダー。
【請求項６】
前記４本のバイオリズム表示部６が、線と文字Ａ，Ｂ，Ｏ、ＡＢ及び記号Ｏ△□☆との組み合わせから構成されている請求項５のカレンダー。
【発明の詳細な説明】
【技術分野】
【０００１】  本発明は、カレンダーに関するものであり、特に、暦の機能（曜日と日との関係）の他に、昨今において人気のある占い情報を付加したところのカレンダーに関する。
【背景技術】
【０００２】  従来においては、一般的な易を基にした、大安吉日等の表示がなされたカレンダーが知られている。こうした表示は、日時を基準としたものであるので、月日に付記すればその目的を果たすことが出来る。つまり、不特定多数の人々は、何月何日が、大安なのか仏滅なのか、赤口なのかを知って参考とすることが出来るものであり、個々の人々に対する個別の情報ではないので、言わば、暦としての機能の一部として扱い得るものであった。【０００３】  こうした一般情報ではなく、個別の情報、特に昨今人気のある占いを表示することが求められているが、易の九星にしろ、西洋占星術の１２星座にしろ、９種或いは１２種のカレンダーを作成しなければ、個々の人々の情報を与えることは出来ないのであり、こうした多数のカレンダーを作成することは、コストが高くつくと共に必ずしも均等に売れるという保証がないから、特定種（星）の売れ残り生じるという問題がある。
【特許文献】特開平１−５９０１９には、誕生日から分かる占いカレンダーが提案されているが、これは、上述した如き特定の誕生日毎に作成されたカレンダーを準備して販売されるものであり、購買者の誕生日による偏りが有り得るところから、販売流通上の問題を抱えるものである。
【特許文献】登録実用新案第３０４２２３８号には、占いカレンダーとして、個別の占いが得られる考えのものが提案されている。これは、通常のカレンダーに、別途作成された個人別の占い情報を、シールを用いてカレンダーに貼付してゆくという方法を採っており、個人別の占いカレンダーそのものが完成されているものではない。
【発明の開示】
【発明が解決しようとする課題】
【０００４】  上述のように、これまでのカレンダーの占いは、易による九星別、十二支による区別、占星術による１２星座別のカレンダーを準備するか、別途個別の情報源を作成しておき、カレンダーに転載、或いは貼付することによって、個別の占いのカレンダーを作成するかの何れかであった。【０００５】  本発明が解決しようとする課題は、生年月日別或いは星座別に特別誂えするのではなく、不特定多数が購入できるところの通常のカレンダーでありながら、星占いの１２星座の個別の占い情報を知ることができるようにすることにある。
また、合わせて四つの血液型の人のバイオリズムについても表示できるところのカレンダーを提供することにある。
【課題を解決するための手段】
【０００６】  本発明にかかるカレンダーは、上記課題を解決するべく、曜日の表示をその上部に横書きに配列し、日を横書きに１週間で折り返して下方向に繰り返し配列した暦表示部を有する月別表示のカレンダーであって、前記暦表示部が、枠線で升目に構成された中に各々の日が表示されるように構成され、且つ、前記各升目の中に、占星術の１２星座を表示する表示手段と、該１２星座の持つ幸運な項目を所定の表示手段でもって表示してある。
【発明の効果】
【０００７】  本発明によれば、通常の暦を表示する月別表示のカレンダーでありながら、これに占星術の１２星座を表示する表示手段と、その１２星座の持つ幸運な項目を表示する表示手段を備えることによって、１種のカレンダーでもって１２星座の人の個別の占い情報が得られるのである。つまり、占いとして期待している幸運な項目の占いを表示するという手段を採ることによって、１種のカレンダーであっても、１２星座の人の所要の項目を表示できるのである。【０００８】  その結果、この１種類のカレンダーのみを作成するということによって、製作上のコストは削減できるし、従来の複数種を作成した場合の如き特定星座のカレンダーが売れ残ると言った虞も回避出来るといった利点がある。
【発明を実施するための最良の形態】
【０００９】  本発明においては、前記１２星座を表示する手段が、漢字によるもので、牡羊座、牡牛座、双子座、蟹座、乙女座、天秤座、蠍座、射手座、山羊座、水瓶座及魚座であり、且つ、これらの星座の月別区分も欄外表示されているのが好ましい。【００１０】  また、前記１２星座の持つ幸運な項目が、少なくとも、恋愛運、金運及び仕事運を含むのが好ましい。
更に、前記幸運な項目を表示する所定の表示手段が、記号の◎であるのが好ましい。【００１１】  また、前記暦表示部の欄外に、４つの血液型の人の持つ４本のバイオリズム曲線による倍リズム表示部６を設けてあるのが好ましい。
更に、前記４本のバイオリズム曲線が、線と文字Ａとの組み合わせ、線と文字Ｂとの組み合わせ、線と文字Ｏ△□☆ととの組み合わせ、及び線と文字ＡＢとの組み合わせから構成されているのが好ましい。これらの文字Ｏ△□☆は、その他の適宜の文字、記号を用いてよい。尚、血液型とバイオリズムとの相関については、発明者の独自の研究により初めて見出したデータに基づくものであるので、ここではその詳細について開示しない。
【実施例】
【００１２】  本発明の実施例のカレンダーは、図１及び図２に基づいて説明すると、曜日の表示をその上部に横書きに配列し、日を横書きに１週間で折り返して下方向に繰り返し配列した暦表示部１を有する。【００１３】  そして、前記暦表示部１が、枠線２で升目に構成された中に各々の日が表示されるように構成され、且つ、前記各升目の中に、占星術の１２星座を表示する表示手段３と、該１２星座の持つ幸運な項目を所定の表示手段４でもって表示してある。この実施例では、前記１２星座を表示する手段３が、漢字によるもので、牡羊座、牡牛座、双子座、蟹座、乙女座、天秤座、蠍座、射手座、山羊座、水瓶座及魚座である。【００１４】  これらの星座の月別区分５、即ち、何れの星座が、何月何日から何月何日までに属するのかを示す区分が、暦表示１の欄外に表示されている。尚、前記星座を表示する手段として、漢字以外に、一般に知られている星座の記号を使用したり、これを漢字に併記するようにしてもよい。【００１５】  そして、前記１２星座の持つ幸運な項目が、この実施例では、恋愛運、金運及び仕事運である。しかし、その他に、例えば、一般的に知られている健康運、賭け運等の項目を設けるようにしてもよい。
また、前記幸運な項目を表示する所定の表示手段４が、この実施例では、記号の◎である。こうした表示手段４としては、概念的に共通認識が得られる星印（仕事運）、コイン（金運）、ハートマーク（恋愛運）等の適宜の記号が使用されてもよい。【００１６】  そして、図２に示す実施例では、前記暦表示部１の欄外には、４つの血液型、即ち、Ａ型、Ｂ型、Ｏ型及びＡＢ型の人の持つ４本のバイオリズム曲線によるバイオリズム表示部６を設けてある。本来、バイオリズムとは、知性、感情、肉体の三要素が、その人の出生日を規準として夫々の周期をもって変化するものを言うことは周知のところである。しかし、ここでは、肉体（体調）のバイオリズムが、本発明者が独自のデータを基にして算出した結果、前記４つの血液型人と所定の関係を持つことを見出したものであり、これを基にして４本の曲線が決定されている。【００１７】  しかし、知性、感情についても、前述の肉体程明確な相関が見出せないが、前記４つの血液型人と、所定の関係を示すことが分かっているので、上記４本のバイオリズム曲線を、これらを基にして決定して用いてもよい。【００１８】  この実施例では、図示の如く、前記４本のバイオリズム曲線が、線と記号○、△、□、☆の図形を用いているが、直接に、文字Ａ（Ａ型を示す）の組み合わせ、線と文字Ｂ（Ｂ型を示す）との組み合わせ、線と文字Ｏ（Ｏ型を示す）の組み合わせ、及び線と文字ＡＢ（ＡＢ型を示す）の組み合わせとしてもよい。
【産業上の利用可能性】
【００１９】  本発明の活用例としては、１ヶ月を頁とした、月捲式のカレンダーの他に、日々の頁を捲るタイプのカレンダー（この場合は、バイオリズム曲線は、各日ごとに１ケ月分のリズム曲線を表示したものとする）、１枚のもので、１ケ年を表示したタイプのものでも実施でき、卓上型、壁掛け式、その他、種々の形態のものに適用して活用できる。
【図面の簡単な説明】
【００２０】
【図１】実施例のカレンダーを示す全体の正面図である。
【図２】実施例のカレンダーの要部の拡大正面図である。
【符号の説明】
【００２１】１：暦表示部１
２：枠線
３：表示手段（星座）
４：表示手段（運勢）
５：月別区分
６：バイオリズム表示部
【図１】
2006175842.tif 000003
【図２】
2006175842.tif 000004